(57)【特許請求の範囲】
【請求項１】
電子機器を設置面に固定するための固定構造であって、
前記電子機器と設置面との間に介在させるものであって、当該電子機器を当該設置面に固定するためのスタンドを備え、
前記スタンドには一対の固定板を設け、当該一対の固定板の相互間に前記電子機器を挿入することにより、当該一対の固定板にて前記電子機器を挟持可能とし、
前記固定板における前記電子機器との当接面には、当該電子機器に向けて突出する固定板側突部を設け、
前記電子機器における前記固定板との当接面であって、前記固定板側突部が形成された前記固定板の前記当接面に当接する当接面には、当該固定板に向けて突出する電子機器側突部を設け、
前記固定板側突部と前記電子機器側突部とを相互に干渉させることにより、前記スタンドに対する前記電子機器の位置であって、前記一対の固定板の相互間に対する前記電子機器の挿入方向における位置と、当該挿入方向に直交する方向であって前記固定板に平行なスライド方向における位置とを、規制可能とし、
前記固定板側突部を、前記スライド方向に沿った複数位置に設けられた係止突部として形成し、
前記電子機器側突部を、前記スライド方向に沿った直線状の突部であって前記挿入方向における複数位置に並設された第１突部と、当該第１突部とは間隔を隔てて配置された第２突部として形成して、
前記複数の第１突部のいずれか一つに前記係止突部のいずれか一つを係脱自在に係止させることにより、前記スタンドに対する前記電子機器の前記挿入方向における位置を規制可能とし、
前記第１突部と前記第２突部の相互間に前記係止突部の他のいずれか一つを当接させることにより、前記スタンドに対する前記電子機器の前記スライド方向における位置を規制可能とした、
電子機器の固定構造。
【請求項２】
前記係止突部は、前記固定板から前記電子機器に向けて斜めに延出する斜出部と、当該斜出部の前記電子機器側の端部に設けられたものであって前記電子機器の前記当接面に当接する当接部とを備え、
前記当接部を、前記電子機器の前記当接面に対して平行に設けた、
請求項１に記載の電子機器の固定構造。
【発明の詳細な説明】
【技術分野】
【０００１】
本発明は、電子機器を設置面に固定するための固定構造に関する。
【背景技術】
【０００２】
現在、光ケーブルを使った家庭向けのデータ通信サービスであるＦＴＴＨ（Ｆｉｂｅｒ  Ｔｏ  Ｔｈｅ  Ｈｏｍｅ）が一般家庭に普及しつつある。このＦＴＴＨにおいては、屋外に敷設された光ケーブルを介して送信された映像信号や通信信号が、一般家屋等の屋外の壁面に設置された光受信機を介して、ＴＶ受像機や情報通信機器に伝送される。
【０００３】
図１２は、カバー部を閉じた状態における従来の光受信機の正面図、図１３は、カバー部を開いた状態における従来の光受信機の斜視図である。この光受信機１００は、筐体１０１に、光電変換ユニット１０２と、図示しない光ファイバを収容するためのトレイ１０３とを納めて構成されている。トレイ１０３には、ケーブル固定部１０４と余長処理部１０５が設けられている。このように構成された光受信機１００において、外部から引き込まれた図示しない光ケーブルの外被がケーブル固定部１０４で固定され、光ファイバのみが引き出される。このように引き出された光ファイバは、図示しないメカニカルスプライサを介して他の光ファイバに接続され、図示しない光コネクタを介して光電変換ユニット１０２に接続される。これら光ファイバの余長部分は、余長処理部１０５に巻き付けられることにより収容される（例えば、特許文献１及び特許文献２参照）。
【０００４】
また、図１２に示すように、筐体１０１の上部には、取り付け部１０６が設けられており、この取り付け部１０６に挿通した図示しないネジを壁面等の設置面にネジ込むことにより、光受信機１００を設置面に固定することができる。
【先行技術文献】
【特許文献】
【０００５】
【特許文献１】特開２００４−３５４８８４号公報
【特許文献２】特開２００４−３５４８８５号公報
【発明の概要】
【発明が解決しようとする課題】
【０００６】
ここで、光受信機１００は、一般家屋等の屋外の壁面に固定することが一般的ではあるが、近年の利用形態の多様化に伴い、屋内に設置したいとのニーズが高まっている。そして、屋内に光受信機１００を取り付ける場合には、従来のように取り付け部１０６を用いたネジ止め構造ではなく、ネジ止めを用いずに光受信機１００を固定することで、ネジ止めを不要にしたいとのニーズがある。
【０００７】
本発明は、上記に鑑みてなされたものであって、光受信機の如き各種の電子機器を設置面に簡易な構造で確実に固定することができる、電子機器の固定構造を提供することを目的とする。
【課題を解決するための手段】
【０００８】
上述した課題を解決し、目的を達成するために、請求項１に記載の本発明は、電子機器を設置面に固定するための固定構造であって、前記電子機器と設置面との間に介在させるものであって、当該電子機器を当該設置面に固定するためのスタンドを備え、前記スタンドには一対の固定板を設け、当該一対の固定板の相互間に前記電子機器を挿入することにより、当該一対の固定板にて前記電子機器を挟持可能とし、前記固定板における前記電子機器との当接面には、当該電子機器に向けて突出する固定板側突部を設け、前記電子機器における前記固定板との当接面であって、前記固定板側突部が形成された前記固定板の前記当接面に当接する当接面には、当該固定板に向けて突出する電子機器側突部を設け、前記固定板側突部と前記電子機器側突部とを相互に干渉させることにより、前記スタンドに対する前記電子機器の位置であって、前記一対の固定板の相互間に対する前記電子機器の挿入方向における位置と、当該挿入方向に直交する方向であって前記固定板に平行なスライド方向における位置とを、規制可能とし、前記固定板側突部を、前記スライド方向に沿った複数位置に設けられた係止突部として形成し、前記電子機器側突部を、前記スライド方向に沿った直線状の突部であって前記挿入方向における複数位置に並設された第１突部と、当該第１突部とは間隔を隔てて配置された第２突部として形成して、前記複数の第１突部のいずれか一つに前記係止突部のいずれか一つを係脱自在に係止させることにより、前記スタンドに対する前記電子機器の前記挿入方向における位置を規制可能とし、前記第１突部と前記第２突部の相互間に前記係止突部の他のいずれか一つを当接させることにより、前記スタンドに対する前記電子機器の前記スライド方向における位置を規制可能とした構造である。
【００１０】
請求項２に記載の本発明は、請求項１に記載の本発明において、前記係止突部は、前記固定板から前記電子機器に向けて斜めに延出する斜出部と、当該斜出部の前記電子機器側の端部に設けられたものであって前記電子機器の前記当接面に当接する当接部とを備え、前記当接部を、前記電子機器の前記当接面に対して平行に設けた。
【発明の効果】
【００１２】
請求項１に記載の本発明によれば、固定板側突部と電子機器側突部とを相互に干渉させることにより、一対の固定板の相互間に対する電子機器の挿入方向における位置と、当該挿入方向に直交する方向であって固定板に平行なスライド方向における位置とを規制可能としたので、電子機器の挿入方向とスライド方向における位置をスタンドを介して固定することができ、電子機器を従来のようにネジ止め作業を行うことなく容易に固定することができる。
また、複数の第１突部のいずれか一つに係止突部のいずれか一つを係脱自在に係止させることにより、スタンドに対する電子機器の前記挿入方向における位置を規制可能とし、さらに、第１突部と第２突部の相互間に係止突部の他のいずれか一つを当接させることにより、スタンドに対する電子機器のスライド方向における位置を規制可能としたので、これら第１突部、第２突部、及び係止突部のみを用いて、電子機器の挿入方向とスライド方向における位置を固定することができ、簡易な構造で電子機器を固定することができる。
【００１４】
請求項２に記載の本発明によれば、係止突部は、固定板から電子機器に向けて斜めに延出する斜出部と、電子機器の当接面に対して平行に当接する当接部を備えるので、斜出部にて当接部を電子機器に向けて突出させることができると共に、当接部は電子機器の当接面に対して平行に当接させることで、当接部を面状領域において電子機器の正面に当接させ、電子機器を安定的に固定することができる。
【図面の簡単な説明】
【００１６】
【図１】本発明の実施の形態に係るスタンドによって固定された光受信機の正面図である。
【図２】スタンドによって固定された光受信機の背面図である。
【図３】光受信機を示す図であり、（ａ）は正面図、（ｂ）は底面図、（ｃ）は側面図である。
【図４】光受信機の背面図である。
【図５】スタンドの斜視図である。
【図６】スタンドの側面図である。
【図７】スタンドの平面図である。
【図８】Ａ−Ａ矢視断面図である。
【図９】図８の係止突部周辺の拡大図である。
【図１０】図７のＢ−Ｂ矢視断面図における係止突部周辺の拡大図である。
【図１１】図２のスタンド周辺の拡大図である。
【図１２】カバー部を閉じた状態における従来の光受信機の正面図である。
【図１３】カバー部を開いた状態における従来の光受信機の斜視図である。
【発明を実施するための形態】
【００１７】
以下に添付図面を参照して、この発明に係る電子機器の固定構造の実施の形態を詳細に説明する。まず、〔I〕実施の形態の基本的概念を説明した後、〔II〕実施の形態の具体的内容について説明し、〔III〕最後に、実施の形態に対する変形例について説明する。ただし、実施の形態によって本発明が限定されるものではない。
【００１８】
〔I〕実施の形態の基本的概念
まず、実施の形態の基本的概念について説明する。この実施の形態は、電子機器を設置面に固定するための固定構造に関する。
【００１９】
電子機器は、以下では、光受信機（光回線終端装置：ＯＮＵ：Ｏｐｔｉｃａｌ  Ｎｅｔｗｏｒｋ  Ｕｎｉｔ）であるものとして説明するが、この固定構造を適用する対象は、光受信機に限られず、光線路収納箱、光コンバータ、告知放送受信機等、設置面に固定する必要がある任意の電子機器に適用可能である。また、設置面は、電子機器をスタンドを介して設置可能な任意の面が該当し、好ましくは平坦面であって、例えば、床面、テレビボードの上面や内面、あるいは机上面である。
【００２０】
この固定構造の特徴の一つは、電子機器と設置面との間に介在させるものであって、当該電子機器を当該設置面に固定するためのスタンドを備え、スタンドには一対の固定板を設け、当該一対の固定板の相互間に電子機器を挿入することにより、当該一対の固定板にて電子機器を挟持可能とし、固定板における電子機器との当接面には、当該電子機器に向けて突出する固定板側突部を設け、電子機器における固定板との当接面であって、固定板側突部が形成された固定板の前記当接面に当接する当接面には、当該固定板に向けて突出する電子機器側突部を設け、固定板側突部と電子機器側突部とを相互に干渉させることにより、スタンドに対する前記電子機器の位置であって、一対の固定板の相互間に対する電子機器の挿入方向における位置と、当該挿入方向に直交する方向であって固定板に平行なスライド方向における位置とを、規制可能とした点にある。
【００２１】
〔II〕実施の形態の具体的内容
以下に添付図面を参照して、本実施の形態の具体的内容について詳細に説明する。
【００２２】
図１は、スタンドによって固定された光受信機の正面図、図２は、スタンドによって固定された光受信機の背面図である。これら各図に示すように、光受信機１はスタンド２に着脱自在に挟持されており、このように光受信機１を挟持した状態でスタンド２を設置面（図示省略）に載置することで、光受信機１がスタンド２を介して設置面に固定される。なお、以下の説明においては、図１のＺ方向を挿入方向、図１のＸ方向をスライド方向とする。また、これら挿入方向及びスライド方向に直交する方向を厚み方向と称する。
【００２３】
（光受信機の基本構成）
ここで、固定対象となる光受信機１の基本構成を説明する。図３は、光受信機１を示す図であり、（ａ）は正面図、（ｂ）は底面図、（ｃ）は側面図、図４は、光受信機１の背面図である。これら図３、４に示すように、光受信機１は、筐体１０を備え、この筐体１０の内部には、光電変換ユニット、電源装置、及びトレイ（いずれも図示省略）を着脱自在に収めて構成されている。
【００２４】
筐体１０は、光受信機１の構造体であり、例えば、樹脂により射出成型にて形成されている。この筐体１０は、一側面を開放した略箱形状のベース部１１と、このベース部１１をその開放面側から略覆うカバー部１２とを備えて構成されており、カバー部１２はベース部１１に対して回動自在に軸支されている。カバー部１２を閉じてベース部１１を略覆った状態において、これらベース部１１とカバー部１２との対向位置には一対の引き込み口１３が形成され、この引き込み口１３を介して、光ケーブルを筐体１０の内部に引込むことができ、あるいは、筐体１０の内部から外部に光ケーブルを引き出すことができる。また、引き込み口１３の側方には、光電変換ユニットの接続端子１４が筐体１０の外部に露出され、この接続端子１４に図示しない同軸ケーブルを接続し、光電変換ユニットで光電変換した電気信号（ＲＦ信号）を同軸ケーブルを介してＴＶ受像機等に出力することができる。なお、この筐体１０は、特記する構成を除き、特許文献１と同様に構成することができる。
【００２５】
また、光電変換ユニットは、光信号を電気信号に変換する光電変換手段であり、図示しない接続端子に接続された光ファイバから入力された光信号を、内部の光電変換回路によって光電変換し、その下部に設けた一対の接続端子１４を介して、同軸ケーブルに出力する。なお、この光電変換ユニットは、特記する構成を除き、特許文献１と同様に構成することができる。また、電源装置は、光受信機１に対する電力供給を行うもので、図示しない電源コードを介して商用電源から取得したＡＣ電力を、ＤＣ電力に変換して、光電変換ユニットに供給する。また、トレイは、光ケーブルや光ファイバを整理及び収容するための収容手段である。
【００２６】
ここで、図４に示すように、光受信機１の背面（ベース部１１の外面）には、第１突部１５と第２突部１６が形成されている。これら第１突部１５と第２突部１６は、光受信機１をスタンド２に固定するための電子機器側突部であり、光受信機１の側面のうち、スタンド２の後述する固定板２１との当接面のいずれか一方（ここでは、固定板２１との当接面である光受信機１の正面と背面のうち、背面の方）に設けられている。
【００２７】
第１突部１５は、スライド方向に沿った直線状の突部であって、挿入方向における複数位置に並設されている。各第１突部１５は、光受信機１の背面のスライド方向における端部（図４における右側端部）から、光受信機１の背面のスライド方向における中央近傍位置に至るように形成されており、縦断面を中実の正方形状とするものであって、光受信機１の背面から外側に向けて突出する段部として形成されている。これら第１突部１５は、相互に一定間隔を隔てて配置されている。
【００２８】
第２突部１６は、第１突部１５とは間隔を隔てて配置されたものであり、背面から見て円形状に形成され、光受信機１の背面から外側に向けて突出する突起として形成されている。なお、光受信機１の背面には、第２突部１６と同様の形状にて他の突起が形成されているが、ここでは、光受信機１の固定に関係する突起のみを第２突部１６と称している。
【００２９】
（スタンドの基本構成）
次に、スタンド２の基本構成を説明する。図５は、スタンド２の斜視図、図６は、スタンド２の側面図、図７は、スタンド２の平面図、図８は、図７のＡ−Ａ矢視断面図である。このスタンド２は、ベース板２０に一対の固定板２１、２２を設けて樹脂射出成型等にて形成されており、これら一対の固定板２１、２２の相互間に光受信機１を挿入することにより、当該一対の固定板２１、２２にて光受信機１を挟持することが可能となっている。
【００３０】
ベース板２０は、平面形状を略方形状とする板状体であり、その厚み方向の寸法は、光受信機１の厚み方向の寸法よりもやや大きく、かつ、そのスライド方向の寸法は、光受信機１のスライド方向の寸法の２／３程度に設定されている。
【００３１】
各固定板２１、２２は、ベース板２０の厚み方向の端部に沿って、当該ベース板２０と一体に形成されている。図８に示すように、固定板２１は、内側に配置された当接板２３と、外側に配置された支持板２４とを備える中空体である。また、固定板２２は、内側に配置された当接板２５と、外側に配置された支持板２６とを備える中空体である。当接板２３、２５は、その上端に至るに伴って外側に開くように、鉛直方向に対して角度αだけ傾けて配置されており、このことによって、一対の固定板２１、２２の相互間に対する光受信機１の着脱が容易となっている。
【００３２】
ここで、一方の固定板２１の当接板２３には、スライド方向に沿って複数の係止突部３０〜３２が間隔を隔てて配置されている。各係止突部３０〜３２は、光受信機１をスタンド２に固定するための固定板側突部であり、固定板２１における光受信機１との当接面のいずれか一方（ここでは、固定板２１の当接板２３と、固定板２２の当接板２５とのうち、固定板２１の当接板２３の内面）に設けられている。ここで、これらの複数の係止突部３０〜３２のうち、スライド方向の両端部の２つの係止突部３０、３２は、相互に同一形状にて形成されており、スライド方向の中央部の１つの係止突部３１は、係止突部３０、３２とは若干異なる形状にて形成されている。
【００３３】
まず、スライド方向の両端部の２つの係止突部３０、３２について説明する。図９は、図８の係止突部周辺の拡大図である。この図９に示すように、スライド方向の両端部の各係止突部３０、３２は、固定板２１から光受信機１に向けて斜めに延出する斜出部３３と、当該斜出部３３の光受信機１側の端部に設けられたものであって光受信機１の背面に当接する当接部３４とを備える。斜出部３３は、固定板２１に一体に樹脂等にて形成されているために弾性を有し、当接部３４を光受信機１の背面に対して弾性的に付勢する。当接部３４は、光受信機１に対する当接面３４ａが、光受信機１の背面に対して平行となるように設けられており、このため当接部３４が面状領域において光受信機１の背面に当接するので、光受信機１を安定的に固定する。また、当接部３４の上部及び下部にはそれぞれ傾斜面３４ｂ、３４ｃが形成されており、当接部３４を光受信機１の第１突部１５に対してスムーズに係脱させることが可能となっている。
【００３４】
次に、スライド方向の中央の係止突部３１について説明する。図１０は、図７のＢ−Ｂ矢視断面図における係止突部周辺の拡大図である。この図１０に示すように、スライド方向の中央の係止突部３１は、固定板２１から光受信機１に向けて斜めに延出する斜出部３５と、当該斜出部３５の光受信機１側の端部に設けられたものであって光受信機１の背面に当接する当接部３６とを備える。斜出部３５は、スタンド２に一体に樹脂等にて形成されているために弾性を有し、当接部３６を光受信機１の背面に対して弾性的に付勢する。当接部３６は、光受信機１に対する当接面３６ａが、光受信機１の背面に対して平行となるように設けられており、このため当接部３６が面状領域において光受信機１の背面に当接するので、光受信機１を安定的に固定する。ここで、係止突部３１の当接部３６は、係止突部３０、３２の当接部３４に比べて、挿入方向の寸法が長くなるように形成されている（この理由については後述する）。
【００３５】
また、固定板２２の当接板２５には、複数の当接突部３７が配置されている。各当接突部３７は、光受信機１をスタンド２に固定するための固定板側突部であり、固定板２２における光受信機１との当接面のいずれか一方（ここでは、固定板２２の当接板２３と、固定板２２の当接板２５とのうち、固定板２２の当接板２５における内面）に設けられている。各当接突部３７は、挿入方向に沿った直線状の突部であって、スライド方向における複数位置に並設されている。各当接突部３７は、当接板２５の上端部から下端部に至るように形成されており、縦断面を中実の正方形状とするものであって、当接板２５から内側に向けて突出する段部として形成されている。この当接突部３７は、光受信機１に対する当接面３７ａが、光受信機１の正面に対して平行となるように設けられており、このため当接突部３７が面状領域において光受信機１の正面に当接するので、光受信機１を安定的に固定する。
【００３６】
（スタンドによる光受信機の固定構造の細部）
次に、このように構成されたスタンド２によって光受信機１を固定する構造の細部について説明する。図１１は、図２のスタンド２周辺の拡大図である。この図１１では、説明のため、光受信機１の第１突部１５及び第２突部１６やスタンド２の係止突部３０〜３２の一部を点線にて透過的に示している。そして、概略的には、これら第１突部１５及び第２突部１６と係止突部３０〜３２とを相互に干渉させることにより、スタンド２に対する光受信機１の位置であって、一対の固定板２１、２２の相互間に対する光受信機１の挿入方向における位置と、当該挿入方向に直交する方向であって固定板２１、２２に平行なスライド方向における位置とを規制可能としている。
【００３７】
まず、光受信機１の挿入方向における位置の規制構造について説明する。図１１に示すように、スタンド２の係止突部３０〜３２のうち、図示右側の係止突部３０は、光受信機１の背面の第１突部１５に対して係脱自在に係止している。具体的には、係止突部３０の当接部３４は、複数の第１突部１５の相互間隔に収まる高さ（図１１のＨ）で、かつ、複数の第１突部１５の中のいずれか一対の第１突部１５の相互間に対応する位置に形成されている。
【００３８】
従って、図１、２に示すように、光受信機１をスタンド２の固定板２１、２２の相互間に挿入することで、係止突部３０の当接部３４が、斜出部３３の付勢力によって光受信機１の背面に向けて付勢され、当該一対の第１突部１５の相互間に入り込み、光受信機１の背面に当接する。特に、当接部３４の下部に傾斜面３４ｂが設けられていることから、当接部３４が一対の第１突部１５の相互間にスムーズに入り込む。この状態では、当接部３４が一対の第１突部１５に係止することで、光受信機１が挿入方向に移動することが規制される。また、この状態では、上述のように、当接部３４が面状領域において光受信機１の背面に当接するので、光受信機１を安定的に固定する。さらに、光受信機１を挟んで当接部３４と反対側においては、固定板２２の当接突部３７が面状領域において光受信機１の正面に当接するので、光受信機１を安定的に固定する。
【００３９】
また、この状態から、ある程度の力で光受信機１を挿入方向上方側に引っ張ることで、斜出部３３の付勢力に抗して当接部３４が第１突部１５を乗り越え、当接部３４による第１突部１５への係止が解除されて、光受信機１をスタンド２から取り外すことができる。特に、当接部３４の上部に傾斜面３４ｃが設けられていることから、当接部３４が第１突部１５をスムーズに乗り越える。
【００４０】
次に、光受信機１のスライド方向における位置の規制構造について説明する。図１１に示すように、スタンド２の係止突部３０〜３２のうち、図示中央の係止突部３１と図示左側の係止突部３２とは、光受信機１の背面の第１突部１５と第２突部１６の相互間に配置されている。
【００４１】
具体的には、図示中央の係止突部３１の当接部３６は、複数の第１突部１５の相互間隔に入り込まないように、係止突部３０の当接部３４よりも高く形成されており、かつ、複数の第１突部１５の側方に位置する形状及び位置で形成されている。この状態では、係止突部３１の当接部３６が第１突部１５に側方から当接することで、光受信機１がスタンド２に対してスライド方向の一方（図１１の左側）に移動することが規制される。
【００４２】
また、図示左側の係止突部３２の当接部３４は、第２突部１６の側方に位置する形状及び位置で形成されている。この状態では、係止突部３２の当接部３４が第２突部１６に側方から当接することで、光受信機１がスタンド２に対してスライド方向の他方（図１１の右側）に移動することが規制される。これらのことから、光受信機１がスタンド２に対してスライド方向の両方のいずれにも移動することが規制される。
【００４３】
（実施の形態の効果）
これまで説明したように、本実施の形態によれば、第１突部１５及び第２突部１６と、係止突部３０〜３２とを相互に干渉させることにより、一対の固定板２１、２２の相互間に対する光受信機１の挿入方向における位置と、当該挿入方向に直交する方向であって固定板２１、２２に平行なスライド方向における位置とを規制可能としたので、光受信機１の挿入方向とスライド方向における位置をスタンド２を介して固定することができ、光受信機１を従来のようにネジ止め作業を行うことなく容易に固定することができる。
【００４４】
また、複数の第１突部１５のいずれか一つに係止突部３０〜３２のいずれか一つを係脱自在に係止させることにより、スタンド２に対する光受信機１の挿入方向における位置を規制可能とし、さらに、第１突部１５と第２突部１６の相互間に係止突部３０〜３２の他のいずれか一つを当接させることにより、スタンド２に対する光受信機１のスライド方向における位置を規制可能としたので、これら第１突部１５、第２突部１６、及び係止突部３０〜３２のみを用いて、光受信機１の挿入方向とスライド方向における位置を固定することができ、簡易な構造で光受信機１を固定することができる。
【００４５】
また、係止突部３０〜３２は、固定板２１から光受信機１に向けて斜めに延出する斜出部３３、３５と、光受信機１の当接面に対して平行に当接する当接部３４、３６を備えるので、斜出部３３、３５にて当接部３４、３６を光受信機１に向けて突出させることができると共に、当接部３４、３６は光受信機１の当接面に対して平行に当接させることで、当接部３４、３６を面状領域において光受信機１の正面に当接させ、光受信機１を安定的に固定することができる。
また、光受信機１のベース部とカバー部を挟んで配置することで、光受信機のカバー部が不必要に開放することを確実に規制することができる。また、光受信機の側面を下側に回転させて、受信機側面にスタンド２を取付け、横向きに設置するスタンド構成としたことにより、屋外では下面となるケーブル類の引き出し面が側面になることで、ケーブル類が横方向に引き出されるようになり、ケーブル類に邪魔されることなく光受信機を屋内に安定して設置することができる。またケーブル類を引き出す面を壁面側に向ければケーブル類が目立たなく設置することができる。
【００４６】
〔III〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００４７】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００４８】
（固定板側突部と電子機器側突部について）
上記実施の形態では、固定板側突部を係止突部３０〜３２として形成し、電子機器側突部を第１突部１５及び第２突部１６として形成したが、固定板側突部と電子機器側突部はこの他の構造で構成してもよい。例えば、係止突部３０〜３２を電子機器側突部として電子機器に設け、第１突部１５及び第２突部１６を固定板側突部として固定板側に設けてもよい。
【００４９】
（固定の向き及び位置について）
スタンド２に対する光受信機１の固定の向き及び位置は、上記実施の形態に示した向き及び位置以外としてもよい。例えば、図１、２の例では、接続端子１４が下方に位置し、引き込み口１３が上方に位置するように、光受信機１を固定しているが、接続端子１４が上方に位置し、引き込み口１３が下方に位置するようにしてもよく、この場合には、光受信機１の背面における第１突部１５と第２突部１６の位置を、光受信機１の中心線（挿入方向における中央位置を通る線であって、スライド方向に平行な線）を中心として、光受信機１の背面の反対位置に配置すればよい。ただし、接続端子１４に接続される同軸ケーブルの方が、引き込み口１３を介して引き込まれる光ケーブルより重いことから、接続端子１４を下方に位置させる方が、光受信機１を一層安定的に固定することが可能となる。
【００５０】
（スタンド以外の固定構造について）
スタンド２を用いた固定構造に加えて、他の固定構造を付加してもよい。例えば、図１、２等に示すように、上記実施の形態に係る光受信機１の筐体１０には、従来と同様の取り付け部が形成されており、この取り付け部に挿通させた取り付けネジを壁面等にネジ込むことで、スタンド２を用いることなく、光受信機１を壁面等に直接固定することもできる。
（付記）
上述した課題を解決し、目的を達成するために、請求項１に記載の本発明は、電子機器を設置面に固定するための固定構造であって、前記電子機器と設置面との間に介在させるものであって、当該電子機器を当該設置面に固定するためのスタンドを備え、前記スタンドには一対の固定板を設け、当該一対の固定板の相互間に前記電子機器を挿入することにより、当該一対の固定板にて前記電子機器を挟持可能とし、前記固定板における前記電子機器との当接面には、当該電子機器に向けて突出する固定板側突部を設け、前記電子機器における前記固定板との当接面であって、前記固定板側突部が形成された前記固定板の前記当接面に当接する当接面には、当該固定板に向けて突出する電子機器側突部を設け、前記固定板側突部と前記電子機器側突部とを相互に干渉させることにより、前記スタンドに対する前記電子機器の位置であって、前記一対の固定板の相互間に対する前記電子機器の挿入方向における位置と、当該挿入方向に直交する方向であって前記固定板に平行なスライド方向における位置とを、規制可能とした。
請求項２に記載の本発明は、請求項１に記載の本発明において、前記固定板側突部を、前記スライド方向に沿った複数位置に設けられた係止突部として形成し、前記電子機器側突部を、前記スライド方向に沿った直線状の突部であって前記挿入方向における複数位置に並設された第１突部と、当該第１突部とは間隔を隔てて配置された第２突部として形成して、前記複数の第１突部のいずれか一つに前記係止突部のいずれか一つを係脱自在に係止させることにより、前記スタンドに対する前記電子機器の前記挿入方向における位置を規制可能とし、前記第１突部と前記第２突部の相互間に前記係止突部の他のいずれか一つを当接させることにより、前記スタンドに対する前記電子機器の前記スライド方向における位置を規制可能とした。
請求項３に記載の本発明は、請求項２に記載の本発明において、前記係止突部は、前記固定板から前記電子機器に向けて斜めに延出する斜出部と、当該斜出部の前記電子機器側の端部に設けられたものであって前記電子機器の前記当接面に当接する当接部とを備え、前記当接部を、前記電子機器の前記当接面に対して平行に設けた。
請求項４に記載の本発明は、請求項１から３のいずれか一項に記載の本発明において、前記電子機器は、光通信網に接続されて光信号を受信する光受信機である。
（付記の効果）
請求項１に記載の本発明によれば、固定板側突部と電子機器側突部とを相互に干渉させることにより、一対の固定板の相互間に対する電子機器の挿入方向における位置と、当該挿入方向に直交する方向であって固定板に平行なスライド方向における位置とを規制可能としたので、電子機器の挿入方向とスライド方向における位置をスタンドを介して固定することができ、電子機器を従来のようにネジ止め作業を行うことなく容易に固定することができる。
請求項２に記載の本発明によれば、複数の第１突部のいずれか一つに係止突部のいずれか一つを係脱自在に係止させることにより、スタンドに対する電子機器の前記挿入方向における位置を規制可能とし、さらに、第１突部と第２突部の相互間に係止突部の他のいずれか一つを当接させることにより、スタンドに対する電子機器のスライド方向における位置を規制可能としたので、これら第１突部、第２突部、及び係止突部のみを用いて、電子機器の挿入方向とスライド方向における位置を固定することができ、簡易な構造で電子機器を固定することができる。
請求項３に記載の本発明によれば、係止突部は、固定板から電子機器に向けて斜めに延出する斜出部と、電子機器の当接面に対して平行に当接する当接部を備えるので、斜出部にて当接部を電子機器に向けて突出させることができると共に、当接部は電子機器の当接面に対して平行に当接させることで、当接部を面状領域において電子機器の正面に当接させ、電子機器を安定的に固定することができる。
請求項４に記載の本発明によれば、光受信機をスタンドを介して固定するに際して、請求項１から３のいずれか一項に記載の本発明と同様の効果を得ることができる。
【符号の説明】
【００５１】
１、１００  光受信機
２  スタンド
１０、１０１  筐体
１１  ベース部
１２  カバー部
１３  引き込み口
１４  接続端子
１５  第１突部
１６  第２突部
２０  ベース板
２１、２２  固定板
２３、２５  当接板
２４、２６  支持板
３０〜３２  係止突部
３３、３５  斜出部
３４、３６  当接部
３４ａ、３６ａ、３７ａ  当接面
３４ｂ、３４ｃ  傾斜面
３７  当接突部
１０２  光電変換ユニット
１０３  トレイ
１０４  ケーブル固定部
１０５  余長処理部
１０６  取り付け部
【図１】
0005566790.tif 000002
【図２】
0005566790.tif 000003
【図３】
0005566790.tif 000004
【図４】
0005566790.tif 000005
【図５】
0005566790.tif 000006
【図６】
0005566790.tif 000007
【図７】
0005566790.tif 000008
【図８】
0005566790.tif 000009
【図９】
0005566790.tif 000010
【図１０】
0005566790.tif 000011
【図１１】
0005566790.tif 000012
【図１２】
0005566790.tif 000013
【図１３】
0005566790.tif 000014